(57)【要約】  【課題】着座者に対する施療子の押し込み量を精度よく制御できる椅子型電位治療器を提供する。  【解決手段】上下移動機構５１により施療子が上下動し、施療子が背もたれ部１ｂに寄りかかっている背中を押圧する。ここで、施療子の押し込み量を変更するときは、傾斜機構５３を動作させ上下移動機構５１を前後方向に傾斜させる。この傾斜角度の変更により施療子の位置が前後に移動し、施療子の押し込み量が変化する。ここで、施療子の押し込み量の変更操作が上下移動機構５１の上部が操作点でかつ下部が支点となっているため、操作点側を大きく移動させる場合でも支点側の移動量は小さく、これにより、上下移動機構５１の傾斜角度、ひいては、施療子の押し込み量を微細に変更することができる。【選択図】  図５
2006055448.tif 000002
【特許請求の範囲】
【請求項１】
椅子本体に交流高電圧が導かれる電極を配置し、着座者に電圧を印加して電位治療を施す椅子型電位治療器において、
前記椅子本体の背もたれ部の裏面に上下に亙って配置され下部が該椅子本体に軸支された上下移動機構と、
前記上下移動機構によって上下動し着座者の背中を押圧する施療子と、
前記上下移動機構の上部を前後方向に移動させ該上下移動機構の下部軸支部分を支点に該上下移動機構を傾斜させる傾斜機構とを備えたマッサージ装置を有する
ことを特徴とする椅子型電位治療器。
【請求項２】
前記傾斜機構は前記背もたれ部に固定されたケーシングと、該ケーシングに固定されたモータと、前後方向に配置され該モータにより回転する棒ねじと、該棒ねじに螺合されるとともに前記上下移動機構に連結したナットとを有する
ことを特徴とする請求項１記載の椅子型電位治療器。
【請求項３】
前記椅子本体には振動装置及び電熱ヒータを設置した
ことを特徴とする請求項１又は請求項２記載の椅子型電位治療器。
【請求項４】
前記モータの軸線と前記棒ねじの軸線が平行になるよう互いに対向して配置した
ことを特徴とする請求項２又は請求項３記載の椅子型電位治療器。
【発明の詳細な説明】
【技術分野】
【０００１】
本発明は、電極に交流高電圧を導き、人体に電位治療を施す電位治療器にマッサージ装置を組み込んだ椅子型電位治療器に関するものである。
【背景技術】
【０００２】
従来、この種の椅子型電位治療器として、出願人は一例として特許文献１に記載されたものを提案している。
【０００３】
電位治療器では一般に全身通電法と局所通電法とが採用されている。全身通電法は電界を人体全体に満遍なく包むよう形成し、これにより、人体表面の感覚受容器を刺激して自律神経系や内分泌系を調整している。一方、局所通電法は電界を人体の局所に集中的に形成し、これにより、人体局所への刺激により筋肉の凝りや痛みを緩和している。
【０００４】
前記出願人提案の椅子型電位治療器は、椅子本体の座部に幅広の電極を配置しており、電極に交流高電圧を導き着座者の全身に通電する全身通電法が採用されている。
【０００５】
しかしながら、この椅子型電位治療器は電位治療のみを行うものであり、着座者に対して機械的マッサージなどを提供するものではなく、多様なニーズに必ずしも十分に応えることができなかった。
【０００６】
そこで、この椅子型電位治療器にマッサージ機能を付加するため、マッサージチャーに使用されているマッサージ装置（特許文献２）を組み込むことが考えられる。これにより、電位治療はもとより、マッサージ治療も提供することができる。
【０００７】
ここで、特許文献２に記載したマッサージ装置は着座者の背中を押圧する施療子を有し、施療子の押し込み角度（背中への押し込み量）を任意に設定できるようになっている。即ち、押し込み角度を大きくするときは背中を強く押し、他方、押し込み角度を小さくするときは背中を弱く押すため、着座者は快適な押圧力を得ることができる。
【特許文献１】特開２００３−３２５６７８号公報
【特許文献２】特開平７−３９５６９号公報
【発明の開示】
【発明が解決しようとする課題】
【０００８】
しかしながら、椅子型電位治療器に前記マッサージ装置を組み込んだとしても、押し込み角度の変更操作が施療子自体を所定角度回転して行われるため、駆動源であるモータが僅かに回転させるときでも、施療子の回転角度に大きくなってしまい、押し込み角度の微調整が極めて複雑になるという問題点を有していた。
【０００９】
本発明の目的は前記従来の課題に鑑み、着座者に対する施療子の押し込み量を精度よく制御できる椅子型電位治療器を提供することにある。
【課題を解決するための手段】
【００１０】
本発明は前記課題を解決するため、椅子本体に交流高電圧が導かれる電極を配置し、着座者に電圧を印加して電位治療を施す椅子型電位治療器において、椅子本体の背もたれ部の裏面に上下に亙って配置され下部が椅子本体に軸支された上下移動機構と、上下移動機構によって上下動し着座者の背中を押圧する施療子と、上下移動機構の上部を前後方向に移動させ上下移動機構の下部軸支部分を支点に上下移動機構を傾斜させる傾斜機構とを備えたマッサージ装置を有する構造となっている。
【００１１】
本発明によれば、上下移動機構により施療子が上下動し、施療子が背もたれ部に寄りかかっている背中を押圧する。ここで、施療子の押し込み量を変更するときは、傾斜機構を動作させ上下移動機構を前後方向に傾斜させる。この傾斜角度の変更により施療子の位置が前後に移動し、施療子の押し込み量が変化する。
【００１２】
ここで、施療子の押し込み量の変更操作が、上下移動機構の上部が操作点でかつ下部が支点となっているため、操作点側を大きく移動させる場合でも支点側の移動量は小さく、これにより、上下移動機構の傾斜角度、ひいては、施療子の押し込み量を微細に変更することができる。
【００１３】
なお、傾斜機構は背もたれ部に固定されたケーシングと、ケーシングに固定されたモータと、前後方向に配置されモータにより回転する棒ねじと、棒ねじに螺合されるとともに上下移動機構に連結したナットとを有する構造を採用するようにしてもよい（請求項２）。また、椅子本体に振動装置及び電熱ヒータを設置し、振動マッサージ治療や温熱治療を併用できるようにしてもよい（請求項３）。更に、モータの軸線と棒ねじの軸線が平行になるよう互いに対向して配置したときは、モータと棒ねじを直線的に配置する場合と比較し、前後方向の配置寸法が短くなり、全体にコンパクトになる（請求項４）。
【発明の効果】
【００１４】
本発明によれば、施療子の押し込み量を精度よく制御できるし、また、電位治療はもとより、温熱治療や振動マッサージ治療も行うことができ、使用者の各種ニーズに応えることができる。
【発明を実施するための最良の形態】
【００１５】
図１乃至図９は本発明に係る椅子型電位治療器の一実施形態を示すもので、図１は椅子型電位治療器の全体斜視図、図２は電位治療用電極、遠赤外線ヒータ、振動装置及びマッサージ装置の装着位置を示す平面図、図３は電位治療用電極、遠赤外線ヒータ、振動装置及びマッサージ装置の制御回路を示すブロック図、図４は電位治療器本体の電気回路図、図５はマッサージ装置の斜視図、図６は上下移動機構の移動ブロック側を示す背面図、図７は上下移動機構の駆動部側を示す背面図、図８は施療子を示す側面図、図９は傾斜機構を示す側面図である。
【００１６】
本実施形態に係る椅子型電位治療器の全体構造を図１及び図２を参照して説明する。この椅子型電位治療器の椅子本体１は着座者の尻部を載せる座部１ａ、座部１ａの後端から上方に延在した背もたれ部１ｂ、座部１ａの左右に立設した肘あて部１ｃ、座部１ａの前端に設けた第１足載せ台１ｄを有している。また、背もたれ部１ｂの左右には椅子本体１の左右からの視線を遮る目隠し部１ｅが延在され、また、第１足載せ台１ｄの内部には前後方向に引き出し自在の第２足載せ台１ｆを有している。これらの各部１ａ〜１ｆは図示しない支持構造体により支持されている。
【００１７】
また、椅子本体１の各部１ａ〜１ｆには、図２に示すように、電位治療器本体２の電極２１、電熱ヒータ例えば遠赤外線ヒータ（以下、ヒータという）３、振動装置４、マッサージ装置５が埋設されている。即ち、座部１ａには電極２１が１個、ヒータ３が１個、振動装置４が２個埋設されている。背もたれ部１ｂにはヒータ３が２個、振動装置４が４個、マッサージ装置５が埋設されている。第１足載せ台１ｄには電極２１が１個埋設されている。目隠し部１ｅには電極２１が２個埋設され、第２足載せ台１ｆにはヒータ３が２個埋設されている。
【００１８】
これらの各機器２〜５は、図３に示すように、制御装置６（例えばマイクロコンピュータ）により制御されるもので、電位治療スイッチ６１、ヒータスイッチ６２、振動スイッチ６３及びマッサージスイッチ６４からの駆動信号に基づき機器駆動回路６５を介して各機器２〜５を駆動制御するようになっている。
【００１９】
ここで、電位治療器本体２の各電極２１と交流電源２２との間の回路中には、図４に示すように、高圧トランス２３が設置され、例えば５，０００Ｖ以上の交流高電圧を電極２１に導いている。なお、高圧トランス２３の一次コイル２３ａと二次コイル２３ｂとの間には電位を安定化させる抵抗２４が介在され、また、二次コイル２３ｂと電極２１との間には電流を制限する抵抗２５が接続されている。交流電源２２の回路中には前記機器駆動回路６５で制御される通電制御スイッチ２６が挿入されている。これにより、座部１ａ、第１足載せ台１ｄ及び目隠し部１ｅの各電極２１に交流高電圧が導かれ、着座者の電位治療が行われる。
【００２０】
以上のように構成された椅子型電位治療器において、本実施形態はマッサージ装置５を組み込んだことに特徴を有している。以下、マッサージ装置５の構造を図５〜図９を参照して説明する。なお、図５は背もたれ部１ｂの被覆部材は省略し、内部に埋設されたマッサージ装置５を示している。
【００２１】
マッサージ装置５は、背もたれ部１ｂの裏面に設置されている。背もたれ部１ｂはその周縁に亙ってパイプにて形成された支持フレーム１ｂ−１を有し、支持フレーム１ｂ−１の背面側には背板１ｂ−２が固着されている。なお、背板１ｂ−２の中央には上下に延在された施療子移動用の長穴１ｂ−３が形成されている。
【００２２】
マッサージ装置５は背もたれ部１ｂに沿って上下に亙って延在された上下移動機構５１と、上下移動機構５１によって上下に移動する施療子５２と、上下移動機構５１を傾斜させる傾斜機構５３とを有している。
【００２３】
この上下移動機構５１は、左右のフレーム枠５１１ａを上下板５１１ｂ，５１１ｃで連結して移動機構ケーシング５１１を形成している。また、各フレーム枠５１１ａの間にはこれに沿って棒ねじ５１２が配置されており、棒ねじ５１２の上端が上板５１１ｂに軸支され、また、下端は下板５１１ｃに軸支されている。また、棒ねじ５１２の下端は、図７に示すように、タイミングベルト機構５１３により可逆転駆動の移動用モータ５１４に連結している。即ち、棒ねじ５１２の下端には従動プーリ５１３ａを取り付け、移動用モータ５１４のシャフトの下端には主動プーリ５１３ｂを取り付け、各プーリ５１３ａ，５１３ｂをタイミングベルト５１３ｃで連結している。これにより、移動用モータ５１４の正転及び逆転により棒ねじ５１２が正転及び逆転する。また、下板５１１ｃは椅子本体１の支持構造体のマッサージ装置支持シャフト５１１ｄに軸支されており、これにより、上下移動機構５１がマッサージ装置支持シャフト５１１ｄを支点として前後方向に回動自在となっている。
【００２４】
棒ねじ５１２には、図６に示すように、ブロックケーシング５１５ａに収容された移動ブロック５１５が螺合されている。移動ブロック５１５の左右の突出ピン５１５ｂの先端にはピニオン５１６が軸支され、一方、各フレーム枠５１１ａの内面には上下に延在されたラック５１７が設置されており、各ピニオン５１６が各ラック５１７に歯合している。これにより、移動ブロック５１５がラック５１７及びピニオン５１６により安定的に上下に案内される構造となっている。
【００２５】
前記施療子５２は、図６及び図８に示すように、移動ブロック５１５のピン５１５ｂに軸支されている。この施療子５２は「く」の字状に形成された連結アーム５２１と、連結アーム５２１の先端に回動自在に連結された扁平の揉み玉５２２とからなり、揉み玉５２２が背板１ｂ−２の長穴１ｂ−３を通って着座者の背中を押圧するようになっている。
【００２６】
前記傾斜機構５３は、図５及び図９に示すように、上下移動機構５１の上方に設置されている。傾斜機構５３は前後方向に直方体形状に形成された傾斜機構ケーシング５３１を有し、このケーシング５３１内に可逆転駆動の傾斜用モータ５３２と前後方向に延在された棒ねじ５３３とを設置している。また、傾斜用モータ５３２と棒ねじ５３３はケーシング５３１の前面に設置した２個のギヤ５３４ａ，５３４ｂを介して連結しており、傾斜用モータ５３２の回転力が棒ねじ５３３に伝達されるようになっている。ケーシング５３１の上板５３１ａは背もたれ部１ｂの支持フレーム１ｂ−１に溶接され、背板１ｂ−２と一体となっている。また、棒ねじ５３３にはナット５３５が貫通螺合しており、このナット５３５が連結プレート５３６を介して上下移動機構５１のフレーム枠５１１に連結している。ここで、連結プレート５３６はナット５３３の直線移動とフレーム枠５１１の回転移動が干渉しないよう干渉規制機構（図示しない）を備えている。なお、５３７は棒ねじ５３３の先端が当接する当て板である。
【００２７】
本実施形態によれば、電位治療スイッチ６１、ヒータスイッチ６２、振動スイッチ６３及びマッサージスイッチ６４のうち何れか一つまたは複数を選択することにより、着座者に対して電位治療、温熱治療、振動マッサージ、或いは、揉みマッサージが行われ、着座者に対して一度に各種治療を施すことができる。
【００２８】
また、揉みマッサージについて詳述すると、マッサージスイッチ６４がオンとなるとき、移動用モータ５１４が回転する。この回転力がタイミングベルト機構５１３を介して棒ねじ５１２に伝達され、棒ねじ５１２に螺合した移動ブロック５１５が背もたれ部１ｂに沿って上下に移動する。移動ブロック５１５が上下に移動する際、長穴１ｂ−３から内側に突出した施療子５２が同じく上下に移動する。これにより、着座者の背中を上下に揉みマッサージすることができる。
【００２９】
ここで、施療子５２の押し込み量を変更するときは傾斜用モータ５３２を駆動する。傾斜用モータ５３２の回転力が各ギヤ５３４ａ，５３４ｂを介して棒ねじ５３３に伝達され、棒ねじ５３３が回転する。この棒ねじ５３３の回転によりナット５３５が前後方向に移動する（図９を参照）。ナット５３５の前後方向への移動により、連結プレート５３６に対して前後方向への移動力が付与され、この移動力がフレーム枠５１１ａに伝達される。これにより、上下移動機構５１がマッサージ装置支持シャフト５１１ｄを支点として前後方向に回動し、更には、施療子５２が図８に示すように前後方向に移動し、施療子５２の押し込み量が変化する。
【００３０】
この施療子５２の押し込み量の変更操作において、上下移動機構５１（フレーム枠５１１ａ）の上端が操作点でかつ下部（下板５１１ｃ）が支点となっているため、操作点側を大きく移動させる場合でも支点側の移動量は小さく、これにより、上下移動機構５１の傾斜角度、ひいては、施療子５２の押し込み量を微細に変更することができる。
【００３１】
また、移動ブロック５１５を棒ねじ５１２の上端に移動するよう移動用モータ５１４を駆動し、また、棒ねじ５３３に螺合したナット５３５を手前側（図９では左端）に移動するよう傾斜用モータ５３２を駆動するときは、施療子５２が背板１ｂ−２の裏側に完全に移動する。これにより、揉みマッサージが不要なときに揉み玉５２２が着座者に当たるという不快感を解消することができる。
【００３２】
また、本実施形態によれば、図９に示すように、モータ５３２の軸線と棒ねじ５３３の軸線が平行になるよう互いに対向して配置しているので、モータ５３２と棒ねじ５３３を直線的に配置する場合と比較し、前後方向の配置寸法が短くなり、全体にコンパクトになる。また、各ギヤ５３４ａ，５３４ｂのギヤ比を変更するときは、送り速度や推進力を調整することができる。なお、ここで使用するモータ５３２は減速機付きのモータであってもよいし、また、各ギヤ５３４ａ，５３４ｂの代わりにプーリ（図示しない）とベルト（図示しない）からなる動力伝達機構を用いるようにしてもよい。
【００３３】
更に、図示しないが、傾斜機構５３の前後にナット５３５や連結プレート５３６の移動位置を検出する検出器を設置し、この検出器によりモータ５３２を制御するようにしても良い。これにより、移動機構ケーシング５１１の過度な移動を防止することができる
図１０及び図１１は本発明に係る椅子型電位治療器の他の実施形態を示すもので、図１０は電位治療用電極、遠赤外線ヒータ、振動装置及びマッサージ装置の装着位置を示す平面図、図１１は電位治療器本体の電気回路図である。なお、前記実施形態と共通の構成部分は同一符号を用い、その説明を省略する。
【００３４】
本実施形態は電位治療器本体２の電気回路を改良したものである。即ち、図１１に示すように、高圧トランス２３が設置され、例えば５，０００Ｖ以上の交流高電圧を電極２１ａ，２１ｂに導いている。この高圧トランス２３の一次コイル２３ａと二次コイル２３ｂとの間は絶縁されている。また、二次コイル２３ｂと電極２１ａ（目隠し部１ｅの電極）との間には電流を制限する抵抗２５ａが接続され、二次コイル２３ｂと電極２１ｂ（座部１ａ及び第１足載せ台１ｄの電極）との間には電流を制限する抵抗２５ｂが接続されている。なお、前記実施形態と同様に交流電源２２の回路中には前記機器駆動回路６５で制御される通電制御スイッチ２６が挿入されている。
【００３５】
本実施形態によれば、電極２１ａと電極２１ｂに逆極性の交流高電圧が導かれるため、座部１ａ及び第１足載せ台１ｄと目隠し部１ｅとの間で着座者に対して高出力の電位治療を行うことができる。なお、その他の構成及び作用は前記実施形態と同様である。
【図面の簡単な説明】
【００３６】
【図１】椅子型電位治療器の全体斜視図
【図２】電位治療用電極、遠赤外線ヒータ、振動装置及びマッサージ装置の装着位置を示す平面図
【図３】電位治療用電極、遠赤外線ヒータ、振動装置及びマッサージ装置の制御回路を示すブロック図
【図４】電位治療器本体の電気回路図
【図５】マッサージ装置の斜視図
【図６】上下移動機構の移動ブロック側を示す背面図
【図７】上下移動機構の駆動部側を示す背面図
【図８】施療子を示す側面図
【図９】傾斜機構を示す側面図
【図１０】他の実施形態に係る電位治療用電極、遠赤外線ヒータ、振動装置及びマッサージ装置の装着位置を示す平面図
【図１１】他の実施形態に係る電位治療器本体の電気回路図
【符号の説明】
【００３７】
１…椅子本体、１ｂ…背もたれ部、２…電位治療器本体、３…遠赤外線ヒータ、４…振動装置、５…マッサージ装置、５１…上下移動機構、５２…施療子、５３…傾斜機構、５３１…傾斜機構ケーシング、５３２…傾斜用モータ、５３３…棒ねじ、５３５…ナット。
【図１】
2006055448.tif 000003
【図２】
2006055448.tif 000004
【図３】
2006055448.tif 000005
【図４】
2006055448.tif 000006
【図５】
2006055448.tif 000007
【図６】
2006055448.tif 000008
【図７】
2006055448.tif 000009
【図８】
2006055448.tif 000010
【図９】
2006055448.tif 000011
【図１０】
2006055448.tif 000012
【図１１】
2006055448.tif 000013